(57)【要約】      （修正有）【課題】サキソフォンやクラリネットなどのリードを有する木管楽器の音量を、楽器の運指に影響を与えず、吹奏感に変化を与えることなく、低減させることができるようにし、また、一種類の商品形態で多種多様なマウスピースのサイズに適合可能にすることができる消音器具を提供する。【解決手段】マウスピース１０１とリード１０２を囲むように装着可能なサイズの環状を成し、弾力性を有する部分を備えた消音器具２０１を提供する。さらに、複数の環状部分を連結するとともに、連結部分を容易に切断可能とした消音器具を提供する。【選択図】図２
0003204551.tif 000002
【実用新案登録請求の範囲】
【請求項１】
木管楽器のマウスピースとリードに装着する消音器具であって、
前記マウスピースと前記リードとを外嵌するように装着可能なサイズの環状を成し、
弾力性を有する第一の部分を備えたことを特徴とする消音器具。
【請求項２】
複数の前記第一の部分を備え、
さらに前記複数の前記第一の部分のそれぞれを連結する第二の部分を備えたことを特徴とする
請求項１に記載の消音器具。
【請求項３】
前記複数の前記第一の部分のそれぞれは異なるサイズであり、
前記第二の部分は人手によって容易に切断可能な硬度としたことを特徴とする
請求項２に記載の消音器具。
【請求項４】
前記第一の部分はシリコンゴムから成ることを特徴とする
請求項１、請求項２、または、請求項３に記載の消音器具。
【考案の詳細な説明】
【技術分野】
【０００１】
本考案は、リードを備えた木管楽器の音量を低減させるための消音器具に関する。
【背景技術】
【０００２】
サキソフォンやクラリネット等の、マウスピースに装着されたリードがマウスピースに吹き込まれた空気によって振動することによって音を発生する木管楽器は大音量を発する一方で、その構造上、金管楽器で使用されるミュート（消音器）を使用することが不可能であり、演奏者にとって適切な練習場所を確保することが困難であった。
【０００３】
楽器全体をケーシングで囲むことで音量を抑える器具（たとえば、特許文献１）は存在したが、手の自由度が小さくなり効果的な練習が行なえない、および、内部に湿気が溜まり手に不快感を生じさせると共に楽器を傷めるといった問題点があった。
【０００４】
楽器の管内に装着することで空気の流れを阻害し、音量を低下させる器具（たとえば、特許文献２）も存在したが、器具の装着により吹奏の抵抗感が通常時と比較して大きく変化するため、効果的な練習が行なえないという課題があった。
【０００５】
リードを備えた木管楽器の自然な吹奏間や演奏性を維持しながら、その音量だけを低減することで、他人に迷惑をかけることなく効果的な練習を可能にする器具は存在していなかった。
【先行技術文献】
【特許文献】
【０００６】
【特許文献１】特許公開公報  特開２００８−２６８５８４
【特許文献２】特許公開公報  特開２０１０−０８５９６０
【考案の概要】
【考案が解決しようとする課題】
【０００７】
サキソフォンやクラリネットなどのリードを備えた木管楽器の吹奏感を変えることなく、音量を低減する消音器具を提供する。
【課題を解決するための手段】
【０００８】
本願考案は、木管楽器のマウスピースとリードに装着する消音器具であって、前記マウスピースと前記リードとを外嵌するように装着可能なサイズの環状を成し、弾力性を有する第一の部分を備えたことを特徴とする消音器具を提供することで上記課題を解決する。
【０００９】
また、本願考案は、複数の前記第一の部分を備え、さらに前記第一の部分のそれぞれを連結する第二の部分を備えたことを特徴とする段落０００８に記載の消音器具を提供することで上記課題を解決する。
【００１０】
また、本願考案は、前記複数の前記第一の部分のそれぞれは異なるサイズであり、前記第二の部分は人手によって容易に切断可能な硬度としたことを特徴とする段落０００９に記載の消音器具を提供することで上記課題を解決する。
【００１１】
また、本願考案は、前記第一の部材はシリコンゴムから成ることを特徴とする段落０００８、段落０００９、または、段落００１０に記載の消音器具を提供することで上記課題を解決する。
【考案の効果】
【００１２】
サキソフォンやクラリネットなどのリードを備えた木管楽器の吹奏感を変えることなく、音量を低減できる消音器具が提供される。
【図面の簡単な説明】
【００１３】
【図１】本願考案の第一の実施形態の消音器具を木管楽器のマウスピースとリードに装着した際の図である。
【図２】本願考案の第二の実施形態の消音器具を木管楽器のマウスピースとリードに装着した際の図である。
【図３】本願考案の第二の実施形態の消音器具を木管楽器のマウスピースとリードに装着した際の図（別方向）である。
【図４】本願考案の第三の実施形態の消音器具の斜視図である。
【図５】本願考案の第三の実施形態の消音器具の六面図（一部省略）である。
【考案を実施するための形態】
【００１４】
図１に本願考案の第一の実施形態に係る消音器具の一例を木管楽器のマウスピースとリードに装着した際の全体図を示す。サキソフォンやクラリネット等の木管楽器のマウスピース（歌口、唄口）（１０１）にリード（１０２）をリガチャー（１０３）により装着した状態で、弾力性を備えた環状の部材（１０４）をマウスピースとリードを囲むように装着することで、リードに適度な圧力を加えて、リードの振動を適度に抑制し、木管楽器の音量を効果的に低減する。管内の空気の流れは阻害されないため、不自然な抵抗感が生じることがなく、演奏者に対して消音器具を装着していない状態と同様の吹奏感を提供し、効果的な練習を可能にする。当該部材はナイロン等の硬質プラスチック、シリコンゴム、合成ゴム、布、スポンジ、または、金属などの弾力性を有する材質（または、これらの複数の材質の組み合わせ）であることが好ましい。考案者の実験により、シリコンラバー（シリコンゴム）が消音効果と装着時の安定性の点で最も効果的であることが判明している。木管楽器のマウスピースはテーパー（先細り形状）が付いており、本願に係る消音器具は弾力性を有するため、吹奏中の脱落が防止できると共に、使用者がリードへの装着位置を調整することでリードに加えられる圧力を微調整でき、容易に最適な消音効果を得ることができる。
【００１５】
図２に本願考案の第二の実施形態に係る消音器具の一例を示す。本実施形態に係る消音器具（２０１）は、複数（典型的には２個）の第一の実施形態に係る第一の部分を別の第二の部分で連結した構造を有する。第一の部分と第二の部分とは一体的に整形されていることが好ましいが、複数の部材がネジや接着剤等の手段により連結された構造でもよい。複数の第一の部分は、一般的なマウスピースのテーパー形状に合わせて、それぞれサイズが異なることが望ましい。複数の第一の部分を使用することで、第一の実施形態と比較して消音効果を高めると共に、吹奏中の脱落や位置のずれを低減することができる。図３は、図２を別の角度から見た図である。
【００１６】
図４に本願考案の第三の実施形態に係る消音器具の一例の斜視図を示す。また、図５に本願考案の第三の実施形態に係る消音器具の一例の平面図、背面図、右側面図を示す。左側面図は右側面図と対称であるため示していない。また、上面図、底面図は自明であるため示していない。マウスピースを備えた木管楽器には、ソプラノサキソフォン、アルトサキソフォン、テナーサキソフォン、バリトンサキソフォン、クラリネット、バスクラリネット等、様々な種類があり、マウスピースのサイズも異なる。また、同一の楽器であってもマウスピースのメーカーによりそのサイズは様々である。本願考案に係る消音器具もできるだけ多くのサイズのマウスピースとリードに適合するものを提供できることが望ましい。しかし、市場にある多種多様なマウスピース向けに個別の商品を提供することは効率的ではない。
【００１７】
本願考案の第三の実施形態では、複数（典型的には５個程度）の第一の実施形態に係る第一の部分を第二の部分で連結し、かつ、第二の部分をはさみ等で容易に切断可能な硬度とする。このような形態で本願に係る消音器具を提供することで、本願考案に係る消音器具の提供者は、多くのサイズ違いバージョンの商品を提供することなく、ごく少数の（典型的には1種類の）商品のみを販売し、利用者が自分の所有するマウスピースのサイズに合わせて切断して使用できるようにすることで多種多様なマウスピースに適合できる。これにより、製造や流通の費用を大きく削減できる。また、利用者も、本願考案に係る消音器具が自分が使用しているマウスピースのサイズに適合するかどうかを店頭で気にする必要はなく、自宅で切断することで自分のマウスピースに適したサイズの消音器具を得ることができ、商品としての魅力も高まる。
【００１８】
（本願考案の技術的に顕著な効果）
本願考案に係る消音器具は、手軽、軽量、安価であり、楽器の運指に影響を与えず、吹奏感に変化を与えることなく、音量を低減させることができるという技術的な顕著な効果を提供し、木管楽器奏者が周囲を気にせずに練習できるという大きな価値を提供する。特に、第三の実施形態では、本願考案に係る消音器具の提供者が一種類の商品を販売するだけで、多種多様なマウスピースに適合できるという大きな商業的価値も提供する。
【図１】
0003204551.tif 000003
【図２】
0003204551.tif 000004
【図３】
0003204551.tif 000005
【図４】
0003204551.tif 000006
【図５】
0003204551.tif 000007